(57)【要約】      （修正有）【課題】設置方法が簡易でありながら、空間を仕切ることができる間仕切りを提供するものであって、簡易に四方を囲む「仕切られた部屋」を構成することを可能にした。【解決手段】床Ｆの上方に設置されて略逆凹字型に形成された開口溝２に上端部３を収納し、且つ下端部４を床Ｆに設置させて着脱可能に取り付け・取り外しが可能な部屋等を間仕切る際に用いる間仕切り板であって、間仕切り板の下端の床設置部９において、２本の幅方向に延びる突出部６を配することにより摩擦を発生させつつ床Ｆに置き敷くという構成による間仕切り用仕切り板によって、簡易に空間を仕切ることができるものである。【選択図】図３（ａ）
2005155008.tif 000002
【特許請求の範囲】
【請求項１】
床の上方に設置されて略逆凹字型に形成された開口溝に上端部を収納し、且つ下端部を床に設置させて着脱可能に取り付け・取り外しが可能な部屋等を間仕切る際に用いる仕切り板であって、
仕切り板の下端部の床設置部において、２本以上の幅方向に延びる突出部を配することにより摩擦を発生させつつ床に置き敷くようにしたことを特徴とする間仕切り用仕切り板。
【請求項２】
床の上方に設置されて略逆凹字型に形成された開口溝に上下端部の一端を収納可能であって、且つ上下端部の他端を床に設置させて着脱可能に取り付け・取り外しが可能な部屋等を間仕切る際に用いる仕切り板であって、
仕切り板の上下端部に幅方向に亘って配された２本以上の突出部により摩擦を発生させつつ床に置き敷くようにしたことを特徴とする間仕切り用仕切り板。
【請求項３】
前記仕切り板は、上端部及び下端部とこれらに挟まれて使用されるパネルとから成り、  下端部にパネル等を収納するための開口部を設けた円弧状の床設置部を有し、この床設置部に２本以上の幅方向に延びる突出部を配することにより摩擦を発生させつつ床に置き敷くようにし、
前記仕切り板を床設置時において突出部が自重により広がって設置される際に、前記床設置部の開口縁でパネルを挟み込むようにしたことを特徴とする請求項１記載の間仕切り用仕切り板。
【請求項４】
前記仕切り板は、上端部及び下端部とこれらに挟まれて使用されるパネルとから成り、  下端部にパネル等を収納するための開口部を設けた円弧状の床設置部を有し、
その床設置部において上下端部に２本以上の幅方向に延びる突出部を配することにより摩擦を発生させつつ床に置き敷くようにし、
床設置時において突出部が自重により広がって設置される際に、前記床設置部の開口縁でパネルを挟み込むようにしたことを特徴とする請求項２記載の間仕切り用仕切り板。
【請求項５】
上下端部ともに円弧状の開口溝収納部及び床設置部を有し、上下端部に２本以上の幅方向に延びる突出部を配することにより摩擦を発生させつつ床に置き敷くようにし、
床設置時において突出部が自重により広がって設置される際にパネルを挟み込むようにし、その上下端部の形状は上下共に同一であることを特徴とする請求項２又は４いずれかに記載の間仕切り用仕切り板。
【請求項６】
主に室内にやぐら状に組まれたオフィス空間において、やぐら状部を簡易に間仕切るために用いる間仕切り板であって、やぐらの横架材の下面に下向きコの字状の溝を設けておき、
これに挿入するために円弧状の上端部を有し、下端部にも上端部と同一形状の円弧状を成した床設置部を有し、その床設置部において上下端部には２本以上の幅方向に延びる突出部を配することにより摩擦を発生させつつ床に置き敷くようにしたことを特徴とする請求項１から５までのいずれかに記載の間仕切り用仕切り板。
【請求項７】
床の上方に設置されて略逆凹字型の溝等を設けた横架材に上下端部の一端を収納可能にし、その他端にパネル等を収納するための開口部を設け床設置部として使用する、部屋等を間仕切る際に用いる仕切り板であって、横架材に対し、複数枚の仕切り板によって、間仕切りを構成する請求項１から６いずれかに記載の間仕切り用仕切り板を利用した間仕切り構造体。
【発明の詳細な説明】
【技術分野】
【０００１】
本発明は、建物又は室内を仕切る際の間仕切り板及びこれを利用した間仕切り構造体に関するものである。 
【背景技術】
【０００２】
従前から簡易に空間を仕切る際には、古くから日本家屋において利用されている襖や、つい立て、びょうぶなどが知られており、近年これにキャスターを取り付けた移動式のつい立てなどが知られている。
【０００３】
また、床に自立式のパーテーションを置いたり、室内にやぐら状のフレームを組み、これにブラインド等を取り付けたりするものが知られている。
【０００４】
しかしながら、襖には鴨居と敷居が必要であるし、つい立てやびょうぶなどはあくまで簡易な仕切り物であり、これらは視線を遮る程度のものであり、「仕切る」と言えるほどのものではなかった。
【０００５】
又は、天井や床にレールを埋め込み複数枚のパネルを連結・連動させて、パネルを移動させて使用する「大掛かりな間仕切りセット」などが知られている。
【０００６】
このため、「突然打合せを行わなければならなくなったときに会議室が空いていない」とか、「会議室を持たないオフィスにおいても会議を行いたい」とか、「気軽な、重い内容ではない打合せだがちょっと仕切りたい」などのシチュエーションにおいては、先に述べたつい立てやブラインド等で仕切る以外に簡易に間仕切りとして利用できるものは無いのが現状であった。
【発明の開示】
【発明が解決しようとする課題】
【０００７】
そこで本発明は、その設置方法が簡易でありながら、空間を仕切ることができる間仕切りを提供するものであって、簡易に四方を囲む「仕切られた部屋」を構成することを可能にしたものである。
【０００８】
すなわち、従前からある簡易型の間仕切りは、先にも述べたように古くからあるつい立てやびょうぶ等であるか、ブラインドのようなものが知られていたが、これらで“仕切られた空間”を構成することは不可能であり、襖は鴨居や敷居がないと利用できない。または、天井や床にレール等を埋め込み、レールに戸車とパネルを連結させて間仕切りを構成する大掛かりな間仕切りセットとに二分されていた。
【０００９】
本発明に係る間仕切り板は、このような“仕切られた空間”を保つことのできない従前からある簡易な仕切りと大掛かりな工事を必要とする間仕切りの不都合な点を解消することを目指して開発されたものであって、簡易な作業のみで“仕切られた空間”を構成することができるようにする間仕切り板またはこれを利用した間仕切り構造体を提供するものである。
【課題を解決するための手段】
【００１０】
そこで本発明は、床の上方に設置されて略逆凹字型に形成された開口溝に上端部を収納し、且つ下端部を床に設置させて着脱可能に取り付け・取り外しが可能な部屋等を間仕切る際に用いる仕切り板であって、仕切り板の下端部の床設置部において、２本以上の幅方向に延びる突出部を配することにより摩擦を発生させつつ床に置き敷くようにした構成になっている。
【００１１】
又は、仕切り板の上下端部に幅方向に亘って配された２本以上の突出部により摩擦を発生させつつ床に置き敷くという構成も採ることができる。
【００１２】
また、本発明に係る仕切り板は、上端部及び下端部とこれらに挟まれて使用されるパネルとから成り、その下端部にパネル等を収納するための開口部を設けた円弧状の床設置部を有し、この床設置部に２本以上の幅方向に延びる突出部を配することにより摩擦を発生させつつ床に置き敷くようにし、仕切り板が床設置時において突出部が自重により広がって設置される際に、前記開口縁でパネルを挟み込むようにすることもできる。
【００１３】
更に、仕切り板の下端部にパネル等を収納するための開口部を設けた円弧状の床設置部を配しておき、その上下端部に２本以上の幅方向に延びる突出部を配することにより摩擦を発生させつつ床に置き敷くようにし、床設置時において突出部が自重により広がって設置される際に前記床設置部の開口縁でパネルを挟み込むようにすると、パネルの保持がより安定する。
【００１４】
なお、本発明に係る仕切り板は、上下端部ともに円弧状の溝収納部及び床設置部を有し、その床設置部において上下端部に２本以上の幅方向に延びる突出部を配することにより摩擦を発生させつつ床に置き敷くようにし、床設置時において突出部が自重により広がって設置される際にパネルを挟み込むようにしておき、その上下端部の形状を上下共に同一の形状にすると、上下を逆にして使用することも可能となる。
【００１５】
また、主に室内にやぐら状に組まれたオフィス空間において、やぐら状部を簡易に間仕切るために用いる仕切り板であって、やぐらの横架材の下面に下向きコの字状の溝を設けておき、これに挿入するために上端部に円弧状の溝収納部を有し、下端部にも上端部と同一形状の円弧状を成した床設置部を有し、その床設置部において上下端部には２本以上の幅方向に延びる突出部を配することにより摩擦を発生させつつ床に置き敷くようにしてもよい。
【００１６】
更に床の上方に設置されて略逆凹字型の溝等を設けた横架材に上下端部の一端を収納可能にし、その他端にパネル等を収納するための開口部を設け床設置部として使用する、部屋等を間仕切る際に用いる仕切り板であって、横架材に対し、複数枚の仕切り板を用意しておき、設置場所に即した間仕切りを構成することが可能となる。 
【発明の効果】
【００１７】
以上のように、本発明による間仕切り板を利用すれば、床の上方に設置されて略逆凹字型に形成された開口溝に上端部を収納し、且つ下端部を床に設置させて着脱可能に取り付け・取り外しが可能な部屋等を間仕切る際に用いることができ、
仕切り板の下端部の床設置部において、２本以上の幅方向に延びる突出部を配することにより摩擦を発生させつつ床に置き敷くようにすることにより、床に安定して設置が可能となる。
【００１８】
また、床の上方に設置されて略逆凹字型に形成された開口溝に上下端部の一端を収納可能にした、且つ下端部を床に設置させて着脱可能に取り付け・取り外しが可能な部屋等を間仕切る際に用いる仕切り板であれば、その上下端部に幅方向に亘って配された２本以上の突出部により摩擦を発生させつつ床に置き敷くようにすることにより、上下端部をひっくり返して使用することも可能となる。
【００１９】
前記仕切り板は、下端部にパネル等を収納するための開口部を設けた円弧状の床設置部を有し、この床設置部に２本以上の幅方向に延びる突出部を配することにより摩擦を発生させつつ床に置き敷くようにし、（仕切り板を）床設置時において突出部が自重により広がって設置される際に、前記床設置部の開口縁でパネルを挟み込むようにしておけば、パネルは強く保持されるので、間仕切りとして安定して使用することができる。
【００２０】
また前記仕切り板を利用すれば、下端部にパネル等を収納するための開口部を設けた円弧状の床設置部を配し、その床設置部において上下端部に２本以上の幅方向に延びる突出部を配することにより摩擦を発生させつつ床に置き敷くようにし、床設置時において突出部が自重により広がって設置される際に、前記床設置部の開口縁でパネルを挟み込むようにしておけば、仕切り板の上下を逆にしても仕切り板として使用可能であり、下端を設置させたときにおいては、間仕切りとして安定して使用することができる。
【００２１】
更に本発明に係る仕切り板であれば、上下端部ともに円弧状の開口溝収納部及び床設置部を有し、上下端部に２本以上の幅方向に延びる突出部を配することにより摩擦を発生さえつつ床に置き敷くようにしておけば、床設置時において突出部が自重により広がって設置される際にパネルを挟み込むよう保持し、その上下端部の形状は上下共に同一にしておけば、仕切り板の高さ方向の上下の向きのどちらでも利用可能な仕切り板を設置することができる。
【００２２】
主に室内にやぐら状に組まれたオフィス空間において、やぐら状部を簡易に間仕切るために用いる仕切り板であって、やぐらの横架材の下面に下向きコの字状の溝を設けておき、これに挿入するために円弧状の上端部を有し、下端部にも上端部と同一形状の円弧状を成した床設置部を有し、その床設置部において上下端部には２本以上の幅方向に延びる突出部を配することにより摩擦を発生させつつ床に置き敷くようにしておけば、やぐら状の間仕切りとして利用可能となる。
【００２３】
更には、床の上方に設置されて略逆凹字型の溝等を設けた横架材に上下端部の一端を収納可能にし、その他端にパネル等を収納するための開口部を設け床設置部として使用する、部屋等を間仕切る際に用いる仕切り板であって、横架材に対し、複数枚の仕切り板によって間仕切りを構成するから、開口部の幅寸法が広い場合、複数の仕切り板を並べて配置すればよいので、どのような幅の開口部にも対応可能となる。 
【発明を実施するための最良の形態】
【００２４】
以下、本発明の好ましい実施の形態について図面を参照しながら説明する。
【００２５】
図１には、本実施形態における間仕切りの概略斜視図が示されている。図面では四方を囲むように仕切り板１を配しているが、設置場所によっては一方のみのケースの場合もあり、床面上方に配された開口溝２を有する横架材Ａにその幅方向に相応する枚数の仕切り板１を設置して使用するものである。
【００２６】
横架材Ａは、天井に取付られるか、又は図１にて例示するように床Ｆよりやぐら状に立設されて配置されるものであるが、これに限られるものではなく、床面上方に下面を逆凹字型に成した図３のごとき開口溝２を有していればよい。
【００２７】
ここでいう天井への取付とは、天井に横架材を直に取り付けてもよいし、埋め込んでもよいし、天井面から離間した位置に配置してもよい。また、ここでいうやぐら状とは、複数の支柱を立設して、その上部間を横架材Ａで相互に連結して成るものをいう。
【００２８】
この横架材Ａに設けられた開口溝２に仕切り板１の上端部３を挿入し、下端部４を床Ｆに載置して使用するようになっている。
【００２９】
仕切り板１は、上端部３、下端部４とこれに組み込むパネル５から成っており、上端部３と下端部４は、軟質樹脂製の材料から成ると好適であり、パネル５は主に発泡スチロールやこれに類する軽量材料を用いるとよい。
【００３０】
図２（ａ）は、仕切り板１の一例であるが、上端部３と下端部４との間の全高のやや下側に把手１０を設けておき、仕切り板１を移動させる際には、この把手１０を利用して仕切り板１を持ち上げて移動させるとよい。
【００３１】
なお、仕切り板１に設けられた把手１０は、厚み方向に対し貫通させて構成されていると持ちやすくなり、かつ設置状態時において内部の状況を視認するための覗き穴としても利用可能となる。
【００３２】
なお、本発明に係る仕切り板１は、上端部３と下端部４を主に軟質樹脂製で構成し、パネル５を発泡スチロール等の軽量材料にて構成すれば、取付するときに容易に作業を行うことができるし、外すときは持ち上げて、移動の際には設置場所に容易に運ぶことができる。
【００３３】
このとき、把手１０の位置（高さ）を図２（ａ）のように下端部４から略１１００ミリにしておけば、設置状態において仕切られた外部から屈まないと仕切った内部を覗くことはできないので都合がよい。
【００３４】
また仕切られた内部からも仕切りの外部を気にすることがなく、例えば内部で椅子に座ってミーティングを行っている際においても目線よりも下側に把手１０が来ることになるので、仕切りの外部の様子を伺いながらミーティングを行うことができる。
【００３５】
また、もし内部を覗かせたい、又は覗いても構わないという状況であれば、上下を逆（さかさま）にして仕切り板１を使用すれば、例えば全高が２５００ミリとしたとき、把手１０の位置は下端部から略１４００ミリになるので、外部から覗くときに、屈まなくとも中の様子を伺うことができる。
【００３６】
このように、使用状況やシチュエーションによって把手１０の使い方・利用方法も多様にすることができる。
【００３７】
また、図２（ｂ）に示すように、仕切り板１の表面をいわゆるホワイトボードと同一の構成にしておけば、例えば仕切られた内部でミーティングを行っているときに仕切り板自体をホワイトボードとして利用することもできる。
【００３８】
このとき仕切り板１は、例えば発泡スチロール等の軽量部材で構成されたパネル５の表面に、ホワイトボード材Ｗを片面又は両面に配置し、上端部３と下端部４とで挟み込むようにして保持すればよい。
【００３９】
図３は、床上方に設置された開口溝２に仕切り板１が挿入されている状態を示す断面図であり、（ａ）、（ｂ）はそれぞれ別異の形態の仕切り板１を示している。開口溝２は、天井に直に配してもよいし、埋め込んでもよいし、天井面から離間した位置に配置してもよいし、図１や図３において示すように横架材Ａに開口溝２を設けてもよい。上端部３は、図３（ａ）に示すように方形形状でもよいし、同（ｂ）に示すように円弧状でもよい。
【００４０】
このとき、上端部３の形状が図３（ａ）のように方形状の場合には、従前からある襖のように上端部３を開口溝２の上奥端に当ててから落とすという、いわゆるケンドン式にて挿入することが可能である。
【００４１】
また図３（ｂ）のように上端部３の形状を円弧状にした場合、図４に示すように開口溝２に上端部３を挿入する際に、円弧上の外周を逆凹字型の開口溝２の内側面に沿わせながら回転するように挿入すれば簡単に挿入することができる。
【００４２】
更に図３（ｂ）のように上下端部３、４共に同一の円弧形状にしておけば、先に述べたように仕切り板１の上下方向を逆に（さかさまに）して使用することもできる。
【００４３】
図５には本発明に係る仕切り板１の下端部４の第１の実施例が示されている。下端部４は図５に示すように例えば略円弧状に成した下端部４の一部に横断面Ｖノッチ状の切欠きＮを設けてその切欠きＮの両側に突出部６を形成するとよい。勿論、切欠きＮの形状は図示例に限定されず、Ｕ字あるいはスリット状のものであっても構わない。
【００４４】
下端部４は、パネル５を挿入するための開口部８を有し、パネル挿入時にはその両端のパネル保持部７、７を開口縁とする開口部８にパネル５が挿入される。なお、下端部４の下面は床に設置する際には本発明の床設置部９として機能することとなる。
【００４５】
図６には仕切り板１の下端部４において、挿入されたパネル５の自重により下端部４がＸ方向に開くことにより、そのパネル保持部７、７がＹ方向に押されることを示している。
【００４６】
下端部４は、主に軟質樹脂製から成っており、床設置部９における突出部６が床Ｆに設置すると自重により潰れるように必然的にＸ方向に開いて摩擦を発生する。
【００４７】
また、床の設置部９において突出部６を設けておくことによって、仕切り板１の自重で突出部６が押しつぶされるようになることにより摩擦力が増大し、突出部６を有さない仕切り板と比べると安定して設置されることになる。
【００４８】
これに連動して下端部４のパネル保持部７がＹ方向に押されるようになり、パネル５への押圧力が増大することにより、パネル５は下端部４に強固に保持される。
なお図面では突出部６を２本にてあらわしているが、突出部６を２本以上設けておけば摩擦力が増大し、より強固に床に設置することができるのは言うまでもない。
【００４９】
仕切り板１は、床Ｆに設置しているときはパネル５の自重により下方に押されるようになり、下端部４全体が押されるようになりその圧力は『Ｘ→Ｙ』の方向に力がかかり摩擦力が増大し、床Ｆに対し安定して固定されると共に下端部４のパネル５を押す力が増大し、パネル５は下端部４に安定して保持される。
【００５０】
このとき、パネル５の厚みと下端部４の保持部７、７間の開口部８の幅は同一または、僅かに『開口幅＜パネル厚み』となっているとよい。
【００５１】
なお、下端部４とパネル５が接着剤等で接着されているか否かは問わない。これはパネル厚と下端部の保持部７の開口部８の幅が同一又は僅かにパネルの厚みが大きければ、パネル表面と下端部の保持部７の内側面との摩擦が生じることによって、本仕切り板１を持ち上げたときにおいても、下端部４とパネル５がバラバラになってしまうことはない。
【００５２】
また、本発明に係る仕切り板を利用するときに床材には摩擦係数の大小に拘る必要は特に無いが、カーペットなど摩擦係数が大きいものであると、仕切り板はより安定して設置される。
【００５３】
次に、本発明における他の実施の形態について見ると、図７のように下端部４の表面に凸状の突出部６を積極的に設けても、先に述べた実施例と同様の効果を得ることができる。
【００５４】
例えば、図７に示すように円弧状に形成した下端部４において、パネル５の幅方向２ヶ所に筋状をなす凸状の突出部６を設けておき、図８に示すように、これを床Ｆに設置させると先に述べた実施例と同様に突出部６にＸ方向の力がかかるようになることにより、下端部４の保持部７においてはＹ方向に力がかかるため、パネル５をより強固に保持できる。
【００５５】
もちろん、図示した２つの形状に拘る必要も無い。
【００５６】
なお、図示しないが本発明に係る仕切り板１において、上端部３及び／又は下端部４とパネル５とが接着されていない場合においては、高さの異なるパネル５を複数種用意しておけば、複数の高さの開口に対応可能となる。 
【図面の簡単な説明】
【００５７】
【図１】全体斜視図
【図２（ａ）】仕切り板と仕切り板に設けた把手部をあらわした図
【図２（ｂ）】仕切り板にホワイトボード材を取り付けた状態をあらわした図
【図３（ａ）】開口溝に収まった状態を示す参考断面図その１
【図３（ｂ）】開口溝に収まった状態を示す参考断面図その２
【図４】開口溝に上端部を挿入する状態を示す図
【図５】仕切り板の下端部を示す図
【図６】仕切り板の下端部が床に設置される状態を示す図
【図７】仕切り板の下端部の別の実施形態を示す図
【図８】仕切り板の下端部が床に設置する状態の別の実施形態を示す図
【符号の説明】
【００５８】
１…仕切り板
２…開口溝
３…上端部
４…下端部
５…パネル
６…突出部
７…開口縁（パネル保持部）
８…開口部
９…床設置部
Ａ…横架材
【図１】
2005155008.tif 000003
【図２（ａ）】
2005155008.tif 000004
【図２（ｂ）】
2005155008.tif 000005
【図３（ａ）】
2005155008.tif 000006
【図３（ｂ）】
2005155008.tif 000007
【図４】
2005155008.tif 000008
【図５】
2005155008.tif 000009
【図６】
2005155008.tif 000010
【図７】
2005155008.tif 000011
【図８】
2005155008.tif 000012